(57)【要約】【課題】開錠不能時に特定の操作によって開錠でき、しかも簡単な工具では開錠できることがない収納機器の電子錠装置を提供すること。【解決手段】収納機器の錠を電子認証手段の出力に応じて施錠、開錠する電子錠装置において、ギア構造を有するデッドボルト１１として構成されており、駆動力を受けて挿抜され開閉部を本体に対して固定、解放するデッドボルトと、セキュリティーねじ２２により支持されデッドボルトを挿抜させるためのギア２１、および通電により前記ギアを駆動するモーター３３を有する操作機構と、モーターに通電する駆動回路と、電子認証を行う判定手段とをそなえる。ギアは、工具で回転できるものでもよい。デッドボルトは、鎌状で回転式のものでもよい。【選択図】図１
0003121517.tif 000002
【実用新案登録請求の範囲】
【請求項１】
本体および開閉部を有する収納機器における錠を電子認証手段の出力に応じて施錠、開錠する電子錠装置において、
ギア構造を有するデッドボルトとして構成されており、前記本体および開閉部の少なくとも一方に取り付けられ、前記ギア構造を介し駆動力を受けて前記本体および開閉部の他方に対して挿抜することにより前記開閉部を前記本体に対して固定し、また解放するデッドボルトと、
前記デッドボルトを挿抜させるための駆動力を伝達するギアであって、少なくとも一端面に当該側面に対して直角方向から工具を当接して回転し得る工具当接部を有するギア、および通電により前記ギアを駆動するモーターを有し、モーターにより駆動されて直進運動力を形成し前記デッドボルトを挿抜させる操作機構と、
駆動信号が与えられて前記モーターに通電する駆動回路と、
電子認証を行って前記駆動回路に駆動信号を与える判定手段と
をそなえたことを特徴とする電子錠装置。
【請求項２】
請求項１記載の電子錠装置において、
前記工具当接部は、穴状であることを特徴とする電子錠装置。
【請求項３】
請求項１記載の電子錠装置において、
前記工具当接部は、外周が多角形であることを特徴とする電子錠装置。
【考案の詳細な説明】
【技術分野】
【０００１】
本考案は、収納機器の電子錠装置に係わり、とくに書庫、ロッカー、机、保管庫等の収納機器の開閉部に施錠するための電子錠に関する。
【背景技術】
【０００２】
収納機器では、収納物の安全保管のために伝統的に用いられている機械錠に加えて、電子式に施錠、開錠する電子ロック装置が普及している（特許文献１および２参照）。ただし、一般に電子ロック単独での用法は稀であり、非常用として機械錠が存在する。これは、電子部品の信頼性に起因している。ここで、機械錠は、シリンダ錠の例に見られるように、機構的に複雑化しても簡単な工具で開錠できる例があり、セキュリティー上の問題が多い。このため、機械錠を持たない電子錠が待望されている。
【特許文献１】特開平07-166743号公報
【特許文献２】特開平07-293068号公報
【考案の開示】
【考案が解決しようとする課題】
【０００３】
しかしながら、電子錠単体では、電子回路の不具合が原因となる問題が生じることがあり、とくに電子部品の故障により開錠不能な事態が生じることを想定しておく必要がある。
【０００４】
本考案は上述の点を考慮してなされたもので、開錠不能時に特定の操作によって開錠でき、しかも簡単な工具では開錠できることがない収納機器の電子錠装置を提供することを目的とする。
【課題を解決するための手段】
【０００５】
上記目的達成のため、本考案は、
本体および開閉部を有する収納機器における錠を電子認証手段の出力に応じて施錠、開錠する電子錠装置において、前記本体および開閉部の少なくとも一方に取り付けられ、ギア構造を有するデッドボルトとして構成されており、前記ギア構造を介し駆動力を受けて前記本体および開閉部の他方に対して挿抜することにより前記開閉部を前記本体に対して固定し、また解放するデッドボルトと、前記デッドボルトを挿抜させるための駆動力を伝達するギアであって、少なくとも一端面に当該側面に対して直角方向から工具を当接して回転し得る工具当接部を有するギア、および通電により前記ギアを駆動するモーターを有し、モーターにより駆動されて直進運動力を形成し前記デッドボルトを挿抜させる操作機構と、駆動信号が与えられて前記モーターに通電する駆動回路と、電子認証を行って前記駆動回路に駆動信号を与える判定手段とをそなえたことを特徴とする電子錠装置、を提供するものである。
【考案の効果】
【０００６】
本考案は上述のように、直進運動を行い電子錠における収納機器の本体と開閉部とを固定するデッドボルトの駆動機構を手動で操作可能に構成したため、電子回路が不具合となってデッドボルトが操作不能となり開錠できなくなっても、駆動機構を手動で操作してデッドボルトを開錠状態にすることができる。
【考案を実施するための最良の形態】
【０００７】
以下、添付図面を参照して本考案の実施形態を説明する。
【実施形態１】
【０００８】
図１は、本考案の実施形態１の内部構成を示したものである。この場合、電子錠装置は、蓋付きのケースに収容されて収納機器の開閉部外面または内面に突出させるか埋め込んだ形で、外部から操作できるように取り付けられている。なお、電源である電池は、外部から交換できるようになっている。
【０００９】
ただし、図１では図示の便宜上、開閉部２００の外面上に蓋付きのケース１００が取り付けられ、このケース１００内に本考案を構成する各要素が収容されたものとして示されている。
【００１０】
ケース１００は、図示しない収納機器の本体に設けられた穴にデッドボルト１１が挿入され得るように、配されている。そして、デッドボルト１１が、ケース１００の端部から挿抜できるように、バネ１２による後退方向（図示右方向への）の作用力を受けつつ直線方向に移動可能に取り付けられている。
【００１１】
デッドボルト１１は、図示下面にギア加工が施されており、このギア加工された部分に対向してギア３１が配され、このギア３１は、操作機構により回転力が与えられる。
【００１２】
ギア加工は、図示のようにデッドボルト１１の外周面ではなく、デッドボルト１１を刳り貫いてその刳り貫いた部分の内面に施してもよい。そのように構成することにより、ケース１００の厚み寸法は増すが高さ寸法を減らすことができる。ケース１００には、他の要素に比べて寸法の大きな電池（図示せず）も収納するため、デッドボルト１１を刳り貫いてギア加工をすることにより、ケース１００の全体寸法を高さ寸法が小さくてコンパクトなものにすることができる。
【００１３】
操作機構は、ギア３１、減速ギアボックス３２およびモーター３３により構成されており、図示しない駆動回路によりモーター３３が通電されることにより作動してギア３１を回転させる。
【００１４】
この操作機構は、全体が一体的に構成されており、減速ギアボックス３２が、ケース１００に設けられた保持部３４、およびケース１００に設けられたねじ穴にねじ込まれるセキュリティーねじ３５により保持されており、セキュリティーねじ３５を取り外すと、減速ギアボックス３２とともにギア３１およびモーター３３が移動する。
【００１５】
セキュリティーねじ３５は、関係者以外には分らないように、外部からはその設置位置が認識できないような構成となっている。関係者は、ケース１００の蓋（図示せず）の所定部分を工具によって突き破り、セキュリティーねじ３５を外してギア３１を移動する。
【００１６】
そして、操作機構を移動するのは、図示しない駆動回路の電子部品が故障してデッドボルト１１が突出したままとなったときに、ギア２０をフリーにして、デッドボルト１１がバネ１２の収縮力により図示右方向に移動可能となるようにするためである。
【００１７】
これにより、デッドボルト１１がケース１００内に収容され、開閉部２００を開くことができる。電子錠装置は、交換または修理される。
【実施形態２】
【００１８】
図２は、本考案の実施形態２を示したものである。この実施形態２では、ギア２１の回転軸をセキュリティーねじ２２により構成し、このセキュリティーねじ２２を外すことによりギア２１を取り外すことができるように構成されている。
【００１９】
この場合も、セキュリティーねじ２２は、部外者には不明で関係者のみが知る位置に設けられている。
【実施形態３】
【００２０】
図３は、本考案の実施形態３を示したものである。この実施形態３では、ギア２１を取り外すのではなく、位置をずらすことでデッドボルト１１をフリーにしている。すなわち、ギア２１の回転軸に装着した伸張性バネ２２により、常時はギア２１をデッドボルト１１との噛み合い位置に押し上げておき、非常時に関係者が伸張性バネ２２の伸張力に抗してギア２１を押し下げることによりデッドボルト１１をフリーにする。この結果、バネ１２の収縮力により後退方向の作用力をデッドボルト１１に与えてデッドボルト１１を図示右方向に移動させることができる。
【実施形態４】
【００２１】
図４は、本考案の実施形態４を示したものである。この実施形態４では、ギア２１の軸穴に蓋２３を被せて軸穴を塞ぎ、この塞いだ蓋２３に回転軸２４の先端を当接させるようにしている。
【００２２】
この構成により、ギア２１はそれ自身の重みで降下するが、回転軸２４に対して蓋２３により規制される位置までしか降下できず、回転軸２４の上端付近に保持される。
【００２３】
そして、非常時に、ギア２１を押圧して蓋２３をギア２１から取り外させると、デッドボルト１１はフリーになる。
【実施形態５】
【００２４】
図５は、本考案の実施形態５を示したものである。この実施形態５では、ギア２１の少なくとも一端面の中心部を軸方向に突出させた段部２５を形成し、この段部２５の中心に切り込んだ溝にドライバなどの工具を挿入してギア２１を回し、デッドボルト１１を挿抜させるものである。
【００２５】
段部２５の溝は、マイナス型、プラス型でもよく、多角穴または多角ナットに適合した外周面形状に換えてもよい。
【回路構成例】
【００２６】
図６は、本考案に係る収納機器の電子錠装置に用いられる回路構成例を示したものである。セキュリティー判定は、例えばＲＦＩＤ判定手段がＲＦＩＤカードを電子認証することにより行い、正しいカードであればモーター駆動回路を作動させてモーター３３を駆動し、減速機構３２およびギア３１、ギア２１を介してデッドボルト１１を図示左右方向に移動させて本体３００側の穴に挿抜させ、施錠または開錠させる。
【００２７】
図６は、本考案に係る収納機器の電子錠装置に用いられる回路構成例を示したものである。セキュリティー判定は、例えばＲＦＩＤ判定手段１０１がＲＦＩＤカードを電子認証することにより行い、正しいカードであればモーター駆動回路１０２を作動させてモーター３３を駆動し、減速機構３２およびギア３１、ギア２１を介してデッドボルト１１を図示左右方向に移動させて本体３００側の穴に挿抜させ、施錠または開錠させる。
【セキュリティーねじ】
【００２８】
図７(a)，(b)，(c)は、本考案に用いるセキュリティーねじの例を示す斜視図である。何れも、頭部形状が特殊であって専用に作られた特殊工具を用いないと緩めることは難しい。
【図面の簡単な説明】
【００２９】
【図１】本考案の実施形態１の構成を示す説明図。
【図２】本考案の実施形態２の構成を示す説明図。
【図３】本考案の実施形態３の構成を示す説明図。
【図４】本考案の実施形態４の構成を示す説明図。
【図５】本考案の実施形態５の構成を示す説明図。
【図６】本考案に用いる回路構成を示す図。
【図７】図７(a)ないし(c)は、本考案に用いるセキュリティーねじの例を示す斜視図。
【符号の説明】
【００３０】
１１  デッドボルト、１１ａ  基端部、１１ｂ  先端部、１１ｃ  回転軸、１１ｄ  回転軸、１２  バネ、２０  ギア装置、２１  ギア、
２２  セキュリティーねじ、２３  蓋、２４  回転軸、２５  段部、
３１  ギア、３２  減速機構付きギア、３３  モーター、３４  支持部材、
３５  セキュリティーねじ、１００  ケース、１０１  ＲＦＩＤ判定回路、
１０２  駆動回路、２００  開閉部、３００  本体。
【図１】
0003121517.tif 000003
【図２】
0003121517.tif 000004
【図３】
0003121517.tif 000005
【図４】
0003121517.tif 000006
【図５】
0003121517.tif 000007
【図６】
0003121517.tif 000008
【図７】
0003121517.tif 000009